(57)【要約】【課題】既設のワークテーブルに補助ワークテーブルを増設可能とするとともに、既設のワークテーブルから張り出す量を調整可能とし、既設のワークテーブルの移動範囲が制限されないようにした。【解決手段】２は既設のワークテーブル、１０は増設された補助ワークテーブル、１１は該補助ワークテーブル１０を既設のワークテーブル２に固定するための取り付けアームである。取り付けアーム１１の先端部には、少なくとも２つのビス穴１１ａ，１１ｂが所定の間隔Ｌをもって設けられており、補助ワークテーブル１０には、間隔Ｌに相当する間隔をもって通し穴１０ａ，１０ｂ，１０ｃ…が複数対設けられており、これら通し穴対の所望の対を選んで、ビス１２ａ，１２ｂにより、補助ワークテーブル１０を取り付けアーム１１の先端部に取り付ける。取り付ける通し穴対を選ぶことにより、補助ワークテーブル１０が既設のワークテーブル２から張り出す量を調整する。【選択図】図２
2006167358.tif 000002
【特許請求の範囲】
【請求項１】
既設のワークテーブルに取り付け可能なアームと、該アームの先端部に取り付け可能な補助ワークテーブルとを有し、該補助ワークテーブルが前記既設のワークテーブルの上方で該既設のワークテーブルと一部が重なる状態で取り付けられていることを特徴とする歯科治療用ワークテーブル。
【請求項２】
前記アームの先端部に少なくとも２つのビス穴を有し、前記補助ワークテーブルには前記２つのビス穴間の間隔に対応した間隔を有する複数対の通し穴を有し、該通し穴対を選択して該補助ワークテーブルを前記アームの先端部に固定することにより、該補助ワークテーブルと既設のワークテーブルとの重なり度合を調整可能にしたことを特徴とする請求項１に記載の歯科治療用ワークテーブル。
【請求項３】
前記補助ワークテーブルは、前記アームに回動可能に取り付けられていることを特徴とする請求項１又は２に記載の歯科治療用ワークテーブル。
【発明の詳細な説明】
【技術分野】
【０００１】
本発明は、歯科治療において、歯科治療器具や薬剤等を載置する歯科治療用ワークテーブルに関し、特に、既設のワークテーブルに対して補助ワークテーブルを増設可能とし、もって、歯科治療時に必要な器材や薬液等の載置スペースを調整可能としたものである。
【背景技術】
【０００２】
図３は、本発明が適用されるワークテーブルを有する歯科治療ユニットの一例を説明するための全体構成図で、該歯科治療ユニットは、歯科治療椅子１、ワークテーブル２、該ワークテーブル２を支持するアーム３、スピットン４、無影灯５、インスツルメントホルダー６、インスツルメント７、フットスイッチ８、等からなり、インスツルメントホルダー６には、歯科治療において使用する種々のインスツルメント７が収納されており、周知のように、歯科治療に当り、患者は椅子１に座り、頭を安頭台に固定して治療を受ける。治療中、術者は治療椅子１を上下動、倒起動、傾斜動等させて、患者を治療しやすい姿勢にして治療を行う。その際、ワークテーブル２上には、歯科治療に必要な種々の機材（例えば、ピンセット，鋏，ガーゼ，脱脂綿，更には、薬剤等）を載置しているが、場合によっては、ワークテーブル２上のスペースが不足し、これらの機材を置く場所を確保するのが大変であり、場所によっては、その都度、その場所まで取りに行かなければならず、歯科治療作業に支障をきたす等の問題があった。
【発明の開示】
【発明が解決しようとする課題】
【０００３】
本発明は、上述のごとき既設のワークテーブルに補助ワークテーブルを増設可能とするとともに、増設した補助ワークテーブルが既設のワークテーブルから張り出す量（換言すれば、既設ワークテーブルと補助ワークテーブルとの重なり度合）を調整可能とし、補助ワークテーブルの増設にもかかわらず既設のワークテーブルの移動範囲が制限されないように、つまり、移動時、周囲のものに当らないようにしたものである。
【課題を解決するための手段】
【０００４】
本発明は、既設の歯科治療用ワークテーブル部に取り付け可能なアームと、該アームの先端部に取り付け可能な補助ワークテーブルとを有し、該補助ワークテーブルが前記既設のワークテーブルの上方で該既設のワークテーブルと一部が重なる状態で取り付けられていることを特徴としたものである。
【０００５】
更には、前記アームの先端部に少なくとも２つのビス穴（ビス穴対）を有し、前記補助ワークテーブルには前記ビス穴対に対応した複数対の通し穴を有し、該通し穴対を選択して該補助ワークテーブルを前記アームの先端部に固定することにより、該補助ワークテーブルと既設のワークテーブルとの重なり度合を調整可能にしたことを特徴としたものである。
【０００６】
更には、前記補助ワークテーブルが、前記アームに回動可能に取り付けられていることを特徴としたものである。
【発明の効果】
【０００７】
本発明は、既設の歯科治療用ワークテーブルに補助ワークテーブルを増設可能とするとともに、増設した補助ワークテーブルが既設のワークテーブルから張り出す量（換言すれば、既設のワークテーブルと増設した補助ワークテーブルの重なり度合）を調整可能とし、該増設したワークテーブルによって既設のワークテーブルの移動範囲が制限されないようにしたものである。
【発明を実施するための最良の形態】
【０００８】
図１は、本発明による歯科治療用ワークテーブルの一実施例を説明するための要部概略構成図で、図中、２は既設のワークテーブルを示し、該ワークテーブル２は、図３に示したように、可動アームの先端部に固定して或いは該可動アームの先端に回動自在に取り付けられていてもよいし、或いは、キャスター付可動台の上に固定して或いは該可動台に対して回動自在に取り付けられていてもよい。１０は本発明によって増設（付加）された補助ワークテーブル、１１は該補助ワークテーブル１０を既設のワークテーブル２に固定するための取り付けアームで、図示例の場合、補助ワークテーブル１０は既設のワークテーブル２に取り付けられているが、既設のワークテーブル２が回動しない場合には、該既設のワークテーブル２を取り付けているアーム或いは可動台等に取り付けてもよい。
【０００９】
図２は、図１に示した既設のワークテーブル、及び、補助ワークテーブルを分離して、既設のワークテーブル２の下側から見た様子を概略的に示したもので、取り付けアーム１１の先端部には、少なくとも２つのビス穴１１ａ，１１ｂが所定の間隔Ｌをもって設けられており、補助ワークテーブル１０には、前記間隔Ｌに相当する間隔をもって通し穴１０ａ、１０ｂ、１０ｃ、１０ｄ…が複数対設けられており、これら通し穴対の所望の対を選んで、（例えば、１０ａと１０ｃ、１０ｂと１０ｄ、１０ｃと１０ｄ…）ビス１２ａ，１２ｂにより、補助ワークテーブル１０を取り付けアーム１１の先端部に取り付ける。その際、補助ワークテーブル１０に設けられた通し穴対を選ぶことにより、補助ワークテーブル１０が既設のワークテーブル２から張り出す量（換言すれば、補助ワークテーブル１０と既設ワークテーブル２の重なり度合）を調整することができる。なお、補助ワークテーブル１０には、多数の通し穴が設けられているので、これら通し穴を覆うために、図１に示したカバー部材（トレー）１３を該補助ワークテーブル１０の上に載せるが、そのためには、ビス１２ａ，１２ｂに皿ビスを用い、補助ワークテーブル１０の上面を平面にしておくとよい。
【００１０】
補助ワークテーブル１０は、アーム１１の先端に固定して取り付けてもよいが、適当な回動抵抗をもつスラストベアリング１４等を介して回動自在に取り付けてよく、回動自在に取り付けた場合には、回動に応じて、補助ワークテーブル１０が既設のワークテーブル２から張り出す量、張り出す位置等を調整することができる。また、補助ワークテーブル１０をアーム１１に対して固定して取り付ける場合には、通し穴を辺の長さが間隔Ｌに相当する正三角形の頂点に設けておけば、補助ワークテーブル１０の向きを多方向（３方向）に変えて取り付けることができる。なお、図１には、補助ワークテーブル１０を既設のワークテーブル２に直接取り付ける例を示したが、既設のワークテーブルの動きを制限しない範囲で他の所望の場所に取り付けるようにしてもよい。
【図面の簡単な説明】
【００１１】
【図１】本発明による歯科治療用ワークテーブルの一実施例を説明するための要部概略構成図である。
【図２】本発明による補助ワークテーブルの変形例を説明するための図である。
【図３】本発明が適用される既設の歯科治療用ワークテーブルが設けられている歯科治療ユニットの例を説明するための図である。
【符号の説明】
【００１２】
２…既設のワークテーブル、５…インスツルメントホルダー、１０…補助ワークテーブル、１０ａ，１０ｂ，１０ｃ，１０ｄ…通し穴、１１…取り付けアーム、１１ａ，１１ｂ…ビス穴、１２ａ，１２ｂ…ビス、１３…カバー部材（トレー）、１４…スラストベアリング。
【図１】
2006167358.tif 000003
【図２】
2006167358.tif 000004
【図３】
2006167358.tif 000005